(57)【要約】  本発明は、周部リム（１１２）が上に設けられた基礎カップ（１１１）を有する支持体（１１０）を有する計時器要素のアーバー用の緩衝デバイス（１００）に関し、この周部リム（１１２）は、基礎カップの反対側において、上側面（１１３）によって限界が定められ、基礎カップと周部リムはともに、ハウジング（１１４）を定め、当該緩衝デバイスは、さらに、アーバー（Ｄ）に対応する方向に延在するピボットシステム（１２０）を有し、少なくとも１つのピボットシステムは、ハウジング内に配置されており、基礎（１２１）によって形成されており、この基礎の周部に弾性戻し手段（１２３）を有し、この弾性戻し手段（１２３）は、少なくとも１つの湾曲アーム（１２４）によって形成されており、基礎には、アーバーと連係することができるピボット要素（１２２）が挿入される開口（１２１ａ）が設けられている。少なくとも１つの湾曲アームは、ピボットシステムを差し込み式フィッティングでロックするために用いられる。【選択図】  図２
2016520197.tif 000002
【特許請求の範囲】
【請求項１】
周部リム（１１２）が上に設けられた基礎カップ（１１１）を有する支持体（１１０）を有する計時器要素のアーバー用の緩衝デバイス（１００）であって、
この周部リム（１１２）は、前記基礎カップの反対側において、上側面（１１３）によって限界が定められ、
前記基礎カップと前記周部リムはともに、ハウジング（１１４）を定め、
当該緩衝デバイスは、さらに、アーバー（Ｄ）に垂直な方向に延在する少なくとも１つのピボットシステム（１２０）を有し、
前記少なくとも１つのピボットシステムは、前記ハウジング内に配置されており、前記アーバーと連係することができるピボット要素（１２２）が設けられている基礎（１２１）によって形成されており、この基礎の周部に弾性戻し手段（１２３）を有し、この弾性戻し手段（１２３）は、少なくとも１つの湾曲アーム（１２４）によって形成されており、
前記周部リム（１１２）は、その厚みの範囲内において、前記上側面で開いている少なくとも１つの空欠部（１１６）を有し、
この空欠部（１１６）は、前記アーバー（Ｄ）と平行に設けられた凹部（１１７）と、及び前記上側面の反対側において前記凹部の１つと交わる方向に設けられた非貫通溝（１１８）とによって形成されており、
前記非貫通溝（１１８）は、前記少なくとも１つのピボットシステムの湾曲アームを差し込み式フィッティングでロックするように用いられる
ことを特徴とする緩衝デバイス。
【請求項２】
前記少なくとも１つのアームは、自由端を有し、
この自由端は、前記少なくとも１つの溝と係合する
ことを特徴とする請求項１に記載の緩衝デバイス。
【請求項３】
前記溝には、空洞が設けられ、
この空洞には、前記少なくとも１つの湾曲アームの前記自由端に位置するキャッチが挿入される
ことを特徴とする請求項１に記載の緩衝デバイス。
【請求項４】
前記ピボット要素は、単一のジュエルを有する
ことを特徴とする請求項１〜３のいずれかに記載の緩衝デバイス。
【請求項５】
前記ピボット要素は、セッティングを有し、
このセッティングには、前記アーバーシャンクによって横断されるジュエル穴形成部と、及び受け石とが固定される
ことを特徴とする請求項１〜４のいずれかに記載の緩衝デバイス。
【請求項６】
前記ピボット要素と前記基礎どうしで、単一部品となるように作られる
ことを特徴とする請求項１〜４のいずれかに記載の緩衝デバイス。
【請求項７】
前記弾性戻し手段は、１２０°角度的にオフセットされている３つの湾曲アームによって形成され、
前記周部リムは、その厚みの範囲内に３つの空欠部を有する
ことを特徴とする請求項１〜６のいずれかに記載の緩衝デバイス。
【請求項８】
当該緩衝デバイスは、さらに、軸方向の衝撃があると、前記アーバーをその初期位置に戻す付加的なばねを有する
ことを特徴とする請求項１〜７のいずれかに記載の緩衝デバイス。
【請求項９】
前記付加的なばねは、ヒンジ及び２つのロックタブを有する開いたリングの形態であるリラ形のばねである
ことを特徴とする請求項８に記載の緩衝デバイス。
【請求項１０】
前記付加的なばねは、前記アーバーの方へ延在する肩部を有する閉じたリングの形態である平坦な環状ばねである
ことを特徴とする請求項８に記載の緩衝デバイス。
【請求項１１】
当該緩衝デバイスは、各ピボットシステムの１つの湾曲アームを差し込み式フィッティングでロックするために同じ空欠部（１１６）を用いる２つのピボットシステム（１２０）を有する
ことを特徴とする請求項１〜１０のいずれかに記載の緩衝デバイス。
【請求項１２】
当該緩衝デバイスは、２つのピボットシステム（１２０）を有し、これらはそれぞれ、前記ピボットシステムの１つの湾曲アームを差し込み式フィッティングでロックするために空欠部（１１６）を用いる
ことを特徴とする請求項１〜１０のいずれかに記載の緩衝デバイス。
【発明の詳細な説明】
【技術分野】
【０００１】
本発明は、周部リムが上に設けられた基礎カップを有し中に空洞を有する支持体を有する計時器要素のアーバー用の緩衝デバイスに関し、この周部リムは、基礎カップの反対側において、上側面によって限界が定められ、基礎カップと周部リムはともに、ハウジングを定め、当該緩衝デバイスは、さらに、アーバーに対応する方向に延在するピボットシステムを有し、少なくとも１つのピボットシステムは、ハウジング内に配置されており、基礎によって形成されており、この基礎の周部に弾性戻し手段を有し、この弾性戻し手段は、少なくとも１つの湾曲アームによって形成されており、基礎には、アーバーと連係することができるピボット要素が挿入される開口が設けられている。
【背景技術】
【０００２】
計時器要素のアーバーのための緩衝デバイスが知られている。例えば、ハウジングが設けられている支持体を有する歯車を支えるバランス又はアーバーのためのものである。このハウジングは、アーバーシャンクが通り抜ける穴の開いた基礎と、及び内壁とを有する。図１に示すように、このデバイスは、さらに、ハウジング内に設けられたピボットシステム１を有し、周部に弾性戻し手段３を有する基礎２を有する。図１に示すように、これらの戻し手段は、アーム４の形態であり、第１の端によって基礎２に及び第２の端によって環状の周部５に接続されている。
【０００３】
この基礎には、開口６が設けられている。この開口６の中には、アーバーと連係することができるピボット要素が挿入される。このピボット要素及び基礎は、単一部品を形成することができる。
【０００４】
緩衝デバイスのアセンブリー時に、緩衝デバイスは、支持体におけるハウジング内に押し込められる。
【０００５】
これらの既知の緩衝デバイスの課題の１つは、扱いにくいということである。実際に、それらの性質によって、アームを備えたデバイスの表面積は、リラ（竪琴：lyre）形のばねシステムよりも大きい。戻し手段の第２の端が固定されるリング状部の存在によって、体積がさらに増える。
【０００６】
結果的に、この種の緩衝デバイスは、コンパクトな計時器用ムーブメントではなく、大きな寸法の計時器用ムーブメントにおいてのみ用いることができる。
【０００７】
これらのデバイスの別の課題の１つは、弾性戻し手段、すなわち、アーム、と環状の周部との間の取り付けの剛性についてである。実際に、支持体におけるハウジング内に当該デバイスを押し込む原理は、環状の周部へのアームの堅固な取り付けがこれらのアームが支持体に堅固に固定されているかのようにふるまうことを意味する。したがって、このような取り付けは、アームにおいて応力を発生させる。そのときのアームは、何らかの破損の危険をも防ぐような大きさを有する必要がある。
【発明の概要】
【発明が解決しようとする課題】
【０００８】
本発明は、よりコンパクトで、より小さな応力しか発生させないような緩衝デバイスを提供することを提案することによって、従来技術の課題を克服することを目的とする。
【課題を解決するための手段】
【０００９】
これを達成するために、本発明は、周部リムが上に設けられた基礎カップを有し中に空洞を有する支持体を有する計時器要素のアーバー用の緩衝デバイスに関し、この周部リムは、前記基礎カップの反対側において、上側面によって限界が定められ、前記基礎カップと前記周部リムはともに、ハウジングを定め、当該緩衝デバイスは、さらに、アーバーＤに垂直な方向に延在する少なくとも１つのピボットシステムを有し、前記少なくとも１つのピボットシステムは、前記ハウジング内に配置されており、基礎１２１によって形成されており、この基礎の周部に弾性戻し手段１２３を有し、この弾性戻し手段は、少なくとも１つの湾曲アーム１２４によって形成されており、前記基礎には、前記アーバーと連係することができるピボット要素１２２が設けられており、前記周部リムは、その厚みの範囲内において、前記上側面で開いている少なくとも１つの空欠部を有し、この空欠部は、前記アーバーＤと平行に設けられた凹部と、及び前記上側面の反対側において前記凹部の１つと交わる方向に設けられた非貫通溝とによって形成されており、前記非貫通溝は、前記少なくとも１つのピボットシステムの湾曲アームを差し込み式フィッティングでロックするように用いられる。
【００１０】
このデバイスの利点は、よりコンパクトであるということであり、したがって、小さな寸法の計時器用ムーブメントに用いることができる。
【００１１】
また、差し込み式フィッティングは、通常用いられる圧入法よりも、単純であって分解するのが容易であるという利点を有する。
【００１２】
第１の好ましい実施形態において、前記少なくとも１つのアームには、自由端があり、この自由端は、前記少なくとも１つの溝に係合する。
【００１３】
第２の好ましい実施形態においては、溝は、空洞を有し、この空洞に、前記少なくとも１つの湾曲アームの自由端に位置するキャッチが挿入される。
【００１４】
第３の好ましい実施形態において、前記ピボット要素は、単一のジュエルを有する。
【００１５】
別の好ましい実施形態において、前記ピボット要素は、セッティングを有し、このセッティングに、前記アーバーシャンクによって横断されるジュエル穴形成部と、及び受け石とが嵌められる。
【００１６】
別の好ましい実施形態において、前記ピボット要素及び前記基礎は、単一部品となるように作られる。
【００１７】
別の好ましい実施形態において、前記弾性戻し手段は、１２０°角度的にオフセットされた３つの湾曲アームによって形成され、前記リムは、その厚みの範囲内において３つの空欠部を有する。
【００１８】
別の好ましい実施形態において、当該緩衝デバイスは、さらに、軸方向の衝撃があった場合には、前記アーバーをその初期位置に戻す付加的なばねを有する。
【００１９】
別の好ましい実施形態において、前記付加的なばねは、ジョイントないしヒンジ及び２つのロックタブを有する開いたリングの形態であるリラ形のばねである。
【００２０】
別の好ましい実施形態において、前記付加的なばねは、アーバーの方へ延在する肩部を有する閉じたリングの形態である平坦な環状ばねである。
【００２１】
別の好ましい実施形態において、当該デバイスは、各ピボットシステムの１つの湾曲アームを差し込み式フィッティングでロックするために同じ空欠部を用いる２つのピボットシステムを有する。
【００２２】
別の好ましい実施形態において、当該デバイスは、ピボットシステムの１つの湾曲アームを差し込み式フィッティングでロックするために空欠部をそれぞれ用いる２つのピボットシステムを有する。
【００２３】
例（これに制限されない）としてのみ与えられる添付図面に示した本発明の少なくとも１つの実施形態についての下記の詳細な説明を読むことで、本発明に係る緩衝デバイスの目的、利点及び特徴をより明確に理解することができるであろう。
【図面の簡単な説明】
【００２４】
【図１】従来技術による緩衝デバイスの概略図である。
【図２】本発明に係る緩衝デバイスの第１の実施形態の概略図である。
【図３】本発明に係る緩衝デバイスの概略断面図である。
【図４】本発明に係る緩衝デバイスの支持体の概略図である。
【図５】本発明の例示的実施形態による緩衝デバイスのピボットシステムを下から見た概略図である。
【図６】本発明に係る緩衝デバイスの例示的実施形態の概略図である。
【図７】本発明に係る緩衝デバイスの例示的実施形態の概略図である。
【図８】本発明に係る緩衝デバイスの第２の実施形態の概略図である。
【図９】本発明に係る緩衝デバイスの第２の実施形態の概略図である。
【図１０】本発明に係る緩衝デバイスの第３の実施形態の概略図である。
【発明を実施するための形態】
【００２５】
図２及び３は、本発明の第１の実施形態に係る緩衝デバイス１００を示している。この緩衝デバイスを計時器の一部に用いることができる。
【００２６】
ショックアブソーバー又は耐衝撃性のデバイス１００は、基礎カップ１１１を有する内部が空洞状の支持体１１０を有する。この基礎カップ１１１の上に、周部リム１１２がマウントされており、この周部リム１１２は、カップとは反対側にて、上側面１１３によって限界が定められている。カップとリムはともに、図３及び４に示すハウジング１１４の形を定める。
【００２７】
支持体１１０は、計時器用ムーブメントのフレームに、圧入されたり他の既知の手段によって取り付けられたりする独立部品であることができ、又はブリッジやプレートのようなムーブメントの別の部品の一部を形成することができる。
【００２８】
ピボットシステム１２０は、アーバーＤに沿って延在し、このピボットシステム１２０は、カップ１１１及びリム１１２によって形が定められるハウジング１１４の内部に配置されている。このピボットシステム１２０は、ディスクの形態の環状基礎１２１を有する。この基礎１２１は、金属、又はケイ素、ルビー、サファイアのような単結晶タイプの材料、又はセラミックスのような多結晶タイプの材料で作ることができる。
【００２９】
図３に示すこの環状基礎１２１は、ピボット要素１２２としてはたらく単一部品の要素１２７である。すなわち、この環状基礎１２１には、非貫通穴又は貫通穴１２が設けられており、その中にアーバーシャンクが係合する。この穴の直径は、この穴と係合するアーバーシャンクが、最小のクリアランスで自由に回転することができるように計算される。
【００３０】
ピボットシステム１２０は、さらに、弾性戻し手段１２３を有する。これらの弾性戻し手段１２３は、少なくとも１つの弾性湾曲アーム１２４によって形成され、その一端によって環状基礎１２１の周部に取り付けられている。これらの弾性戻し手段１２４は、アーバーに沿った方向と、アーバーに垂直な方向との両方の反力を有するように選択されている。このことは、軸方向の衝撃又は半径方向の衝撃があった場合にピボットシステム１２０が反作用することができることを意味する。
【００３１】
好ましいことに、本発明によると、湾曲アーム１２４の端は、環状基礎に取り付けられておらず、自由となっている。この特徴によって、従来技術のシステムと比較して、よりコンパクトなピボットシステム１２０を得ることが可能になる。なぜなら、表面積が小さいからである。
【００３２】
好ましくは、弾性戻し手段１２３は、３つの湾曲アーム１２４によって形成されており、そのそれぞれは、１２０°の角度オフセットしている基礎１２１への取り付け点を有する。このような弾性機能を、アーム１２４の数を変えたり形を変えたりすることで確実にすることができることは明らかである。
【００３３】
支持体１１０にピボットシステム１２０を固定するために、本発明は、好ましいことに、図４に示すように差し込み式フィッティングシステムを用いることを提案する。
【００３４】
これを達成するために、リム１１２には、その厚みの範囲内において少なくとも１つの空欠部１１６が設けられている。この空欠部１１６は、凹部１１７と非貫通溝１１８によって形成されている。この凹部１１７は、アーバーＤと平行に設けられ、上側面１１３で開いており、非貫通溝１１８は、上側面１１３の反対側において、凹部の１つと交わる方向に設けられている。この溝１１８は、ピボットシステムの湾曲アーム１２４を差し込み式フィッティングでロックするために用いられる。
【００３５】
弾性戻し手段１１３が３つの湾曲アーム１２４を有する場合には、３つの空欠部１１６が設けられる。
【００３６】
ピボットシステム１２０は、湾曲アーム１２４の自由端を凹部１１７内に挿入することができるようにハウジング１１４にマウントされる。このようにして、ピボットシステムが基礎カップ１１１の近くになるように、ピボットシステムをハウジングに挿入することができる。ピボットシステムが当接位置に到達すると、湾曲アームを溝１１８と対向するようにしなければならない。結果的に、回転運動が行われて、溝１１８に湾曲アーム１２４の自由端が挿入され、支持体１１０内にピボットシステムが固定される。
【００３７】
支持ハウジング１１０にピボットシステム１２０を固定するこの方法は、小さい応力しか発生させないという利点を有する。実際に、湾曲アームの端が自由であるので、弾性湾曲アームどうしは独立している。なぜなら、互いに接続されておらず、単純に変形することができるためである。
【００３８】
溝１１８又は凹部１１７の幾何学的構成を変えてもよい。このように、溝１１８又は凹部１１７が、円筒状又は平行六面体又は楕円柱状であってもよいことは明らかである。
【００３９】
同様に、必要に応じて、凹部１１７又は溝１１８の寸法を適応させることができる。例えば、凹部１１７は、リム１１２の高さの全体又は一部にわたって延在することができる。凹部がリムの全高さにわたって延在する場合、支持体１１０におけるアセンブリーの後に、ピボットシステム１２０がハウジング１１４の底に接することになる。すなわち、カップ１１１に接することになる。しかし、凹部がリム１１２の全高さにわたって延在しない場合、ピボットシステムは、カップ１１１に接しなくなる。したがって、このことによって、凹部１１７がリム１１２の全高さにわたって延在する場合と比べて、ピボットシステムに大きな運動の自由を与えることができる。
【００４０】
好ましい変種の１つにおいて、ハウジング１１４内におけるピボットシステム１２０のロックが改善される。これを達成するために、図４及び５に示すように、湾曲アーム１２４はそれぞれ、その自由端で、環状基礎１２１の中央アーバーＤに対する半径方向に延在するキャッチ１４１を有する。したがって、非貫通溝１１８はそれぞれ、その溝１１８よりも深さが大きい付加的な空洞１４０が設けられている。この付加的な空洞によって、そこにキャッチ１４１が係合することが可能になる。
【００４１】
結果的に、ピボットシステム１２０が適所にセットされると、キャッチ１４１が設けられたアーム１２４は、各凹部１１７にて係合する。これによって、回転時に、深さの差によって、アーム１２４が弾性変形する。この弾性変形は、環状基礎１２１の近くに動く湾曲アーム１２４によってはっきりと行われる。各アーム１２４の自由端に位置するキャッチ１４１が溝１１８の空洞１４０と対向するように位置していれば、アーム１２４にかかる応力が緩和して、アーム１２４が安静位置に戻る傾向が発生する。このように、各アームのキャッチは、空洞に挿入されて、ピボットシステムの回転を阻止する。
【００４２】
凹部及び空洞が同様な深さを有することを思い描くことができる。
【００４３】
第２の実施形態において、環状基礎１２１には、ピボット要素１２２が収容される中央オリフィス１２１ａ（図示せず）が設けられている。この構成によって、環状基礎１２１と弾性戻し手段１２３を第１の材料で作り、ピボット要素１２２を第２の材料で作ることが可能になる。このように、第１及び第２の材料を要求に応じて選択することができる。例えば、弾性特性がある材料がアーム１２４に好ましく、ある程度の摩擦及び耐摩耗性を有する硬い材料が、ピボット要素１２２のために好ましい。
【００４４】
図５及び６に示す第１の例示的実施形態では、ピボット要素１２２は、単一のジュエル１２７の形態である。これは、例えば、ルビーで作られているものである。この単一のジュエル１２７は、環状基礎１２１のオリフィス１２１ａ内に配置され、非貫通穴又は貫通穴が設けられており、この中でアーバーシャンクが係合する。この穴の直径は、この穴に係合するアーバーシャンクが最小のクリアランスで自由に回転することができるように計算される。この単一のジュエル１２７は、圧入、接着結合又は溶接又は他の可能性のある方法によって、環状基礎１２１のオリフィス１２１ａ内に固定される。この実施形態の利点として、以下の２つの部品のみを有するピボットシステム１２０を提供することができることが挙げられる。すなわち、ピボット要素としてはたらく単一のジュエル１２７、及びアーム１２４を有する環状基礎１２１である。
【００４５】
図７に示す第２の例示的実施形態において、ピボット要素は、セッティング１２８を有する。このセッティング１２８内において、アーバーシャンクによって横断されるジュエル穴形成部１２９と、受け石１３０とが固定される。セッティング１２８は、外側面と内側面及び内径Ｄ１を有する管状部品の形態である。この内側面には肩部があり、これによって、セッティング１２８が第２の内径Ｄ２を有する領域を有する。好ましくは、内径Ｄ２は内径Ｄ１よりも大きい。このことによって、ジュエル穴形成部１２９が内径Ｄ１に挿入され、受け石１３０が内径Ｄ２に挿入され肩部に当接することが可能になる。この場合において、ジュエル穴形成部１２９が受け石１３０よりも小さな直径を有することを想定することができる。しかし、また、逆の構成も可能である。
【００４６】
そのときに、セッティング１２８は、環状基礎１２１のオリフィス１２１ａ内に配置され、例えば、圧入、接着結合又は溶接によって固定される。この第２の例示的実施形態は、伝統的な緩衝デバイスにおいて用いられるセッティング１２８、ジュエル穴形成部１２９及び受け石１３０を使用することができるという利点を有する。第２に、この第２の例によって、潤滑剤の格納が容易になる。
【００４７】
この第２の例示的実施形態の変種の１つにおいて、セッティング１２８及び環状基礎１２１は、ジュエル穴形成部１２９及び受け石１３０が環状基礎において直接固定されるように、単一部品となるように作られる。
【００４８】
図８及び９に示す第２の実施形態は、軸方向の衝撃の吸収を改善することを思い描いているものである。これを達成するために、第２の実施形態に係る緩衝デバイスは、さらに、付加的なばね１５０を有する。この付加的なばね１５０は、平坦なリラ形のばねである。すなわち、この付加的なばね１５０は、ジョイントないしヒンジ及び２つのロックタブを有する開いたリングの形態である。これらのジョイントないしヒンジ及び２つのロックタブは、直径方向の反対側にある。このようにして、付加的なばねを固定するために、支持体のリムに固定領域が作られる。この取り付けは、ピボットシステム１２０に予応力が与えられるように行われる。軸方向の衝撃があると、アーバーシャンクを介してピボットシステム１２０に応力が与えられ、その際に、それに応じて湾曲アーム１２４が変形する。そのときに、応力が付加的なばね１５０に与えられ、これは弾性変形する。軸方向の衝撃に起因する応力が消えていくときに、付加的なばね１５０は、その初期位置に戻り、ピボットシステム１２０をその安静位置に戻そうとする。
【００４９】
しかし、付加的なばねは、閉じられた平坦な環状ばね１５１であり、これは、環状ばね１５１の中心軸の方へと延在する複数の細長片１５２を有する。そのときに、図９に示すように、この環状ばね１５１を、リムの上側面に接着又は溶接することができる。
【００５０】
図１０に示す第３の実施形態において、緩衝デバイス１００は、２つのピボットシステム１２０を有することができる。これらのピボットシステムは、差し込み式フィッティングシステムによってハウジング１１４において支持体１１０にマウントされることが好ましい。これを達成するために、いくつかの可能性を思い描くことができる。
【００５１】
第１の可能性は、同じ空欠部１１６を両方のピボットシステム１２０に用いることを伴う。これによって、この空欠部１１６は、凹部１１７と２つの非貫通溝１１８によって形成され、この凹部１１７は、アーバーＤと平行に設けられ、上側面１１３で開いており、この２つの非貫通溝１１８は、上側面１１３の反対側において、凹部の１つと交わる方向に設けられている。これらの２つの溝１１８どうしは平行であり、それぞれの溝１１８は、一方のピボットシステムの一方の湾曲アーム１２４を差し込み式フィッティングでロックするために用いられる。このようにして、２つのピボットシステム１２０の間の空間の形が、２つの溝１１８の間の空間によって定められる。
【００５２】
第２の可能性は、２つの別個の空欠部１１６を、各ピボットシステム１２０に対して１つ有することを伴う。空欠部１１６はそれぞれ、凹部１１７と非貫通溝１１８によって形成され、この凹部１１７は、アーバーＤと平行に設けられ、上側面１１３で開いており、非貫通溝１１８は、上側面１１３の反対側において、凹部の１つと交わる方向に設けられている。この溝１１８は、ピボットシステムの湾曲アーム１２４を差し込み式フィッティングでロックするために用いられる。２つの空欠部は、これらどうしが角度的にオフセットしており、かつ、異なる平面に位置するように構成する。このように、２つのピボットシステム１２０のアセンブリーの際には、２つのピボットシステム１２０の間に空間が発生することを理解できるであろう。
【００５３】
両方の可能性において、図３におけるように、ピボットシステムを完全に単一部品として作ることができ、又はセッティング又は単一のジュエルを基礎１２１の中央オリフィス１２１ａ内に挿入することかできる。この２つのピボットシステムを備えた構成は、ハウジングにおける最も底側のピボットシステムには、貫通穴が設けられていて、アーバーシャンクが第２のピボットシステムに対して挿入されその上にて支持されることができることをも意味する。
【００５４】
もちろん、２つの空欠部どうしの間のオフセット角は、任意の角度であることができる。
【００５５】
また、この第３の実施形態は、単に２つのピボットシステム１２０に制限されているのではなく、支持体１１０のハウジング１１４内には、多くのピボットシステム１２０が配置されていてもよいことを理解できるであろう。
【００５６】
本説明において記載した本発明の様々な実施形態に対して、本発明の範囲から逸脱せずに、当業者に明白な様々な変更及び／又は改良を行うことができることは明らかである。
【図１】
2016520197.tif 000003
【図２】
2016520197.tif 000004
【図３】
2016520197.tif 000005
【図４】
2016520197.tif 000006
【図５】
2016520197.tif 000007
【図６】
2016520197.tif 000008
【図７】
2016520197.tif 000009
【図８】
2016520197.tif 000010
【図９】
2016520197.tif 000011
【図１０】
2016520197.tif 000012
【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
周部リム（１１２）が上に設けられた基礎カップ（１１１）を有する支持体（１１０）を有する計時器要素のアーバー用の緩衝デバイス（１００）であって、
この周部リム（１１２）は、前記基礎カップの反対側において、上側面（１１３）によって限界が定められ、
前記基礎カップと前記周部リムはともに、ハウジング（１１４）を定め、
当該緩衝デバイスは、さらに、アーバー（Ｄ）に垂直な方向に延在する少なくとも１つのピボットシステム（１２０）を有し、
前記少なくとも１つのピボットシステムは、前記ハウジング内に配置されており、基礎（１２１）によって形成されており、この基礎の周部に弾性戻し手段（１２３）を有し、この弾性戻し手段（１２３）は、少なくとも１つの湾曲アーム（１２４）によって形成されており、
前記基礎には、前記アーバーと連係することができるピボット要素（１２２）が設けられており、
前記周部リム（１１２）は、その厚みの範囲内において、前記上側面で開いている少なくとも１つの空欠部（１１６）を有し、
この空欠部（１１６）は、前記アーバー（Ｄ）と平行に設けられた凹部（１１７）と、及び前記上側面の反対側において前記凹部の１つと交わる方向に設けられた非貫通溝（１１８）とによって形成されており、
前記非貫通溝（１１８）は、前記少なくとも１つのピボットシステムの湾曲アームを差し込み式フィッティングでロックするように用いられる
ことを特徴とする緩衝デバイス。
【請求項２】
前記少なくとも１つのアームは、自由端を有し、
この自由端は、前記少なくとも１つの溝と係合する
ことを特徴とする請求項１に記載の緩衝デバイス。
【請求項３】
前記溝には、空洞が設けられ、
この空洞には、前記少なくとも１つの湾曲アームの前記自由端に位置するキャッチが挿入される
ことを特徴とする請求項１に記載の緩衝デバイス。
【請求項４】
前記ピボット要素は、単一のジュエルを有する
ことを特徴とする請求項１〜３のいずれかに記載の緩衝デバイス。
【請求項５】
前記ピボット要素は、セッティングを有し、
このセッティングには、前記アーバーシャンクによって横断されるジュエル穴形成部と、及び受け石とが固定される
ことを特徴とする請求項１〜４のいずれかに記載の緩衝デバイス。
【請求項６】
前記ピボット要素と前記基礎どうしで、単一部品となるように作られる
ことを特徴とする請求項１〜４のいずれかに記載の緩衝デバイス。
【請求項７】
前記弾性戻し手段は、１２０°角度的にオフセットされている３つの湾曲アームによって形成され、
前記周部リムは、その厚みの範囲内に３つの空欠部を有する
ことを特徴とする請求項１〜６のいずれかに記載の緩衝デバイス。
【請求項８】
当該緩衝デバイスは、さらに、軸方向の衝撃があると、前記アーバーをその初期位置に戻す付加的なばねを有する
ことを特徴とする請求項１〜７のいずれかに記載の緩衝デバイス。
【請求項９】
前記付加的なばねは、ヒンジ及び２つのロックタブを有する開いたリングの形態であるリラ形のばねである
ことを特徴とする請求項８に記載の緩衝デバイス。
【請求項１０】
前記付加的なばねは、前記アーバーの方へ延在する肩部を有する閉じたリングの形態である平坦な環状ばねである
ことを特徴とする請求項８に記載の緩衝デバイス。
【請求項１１】
当該緩衝デバイスは、各ピボットシステムの１つの湾曲アームを差し込み式フィッティングでロックするために同じ空欠部（１１６）を用いる２つのピボットシステム（１２０）を有する
ことを特徴とする請求項１〜１０のいずれかに記載の緩衝デバイス。
【請求項１２】
当該緩衝デバイスは、２つのピボットシステム（１２０）を有し、これらはそれぞれ、前記ピボットシステムの１つの湾曲アームを差し込み式フィッティングでロックするために空欠部（１１６）を用いる
ことを特徴とする請求項１〜１０のいずれかに記載の緩衝デバイス。
【国際調査報告】
2016520197.tif 000013
2016520197.tif 000014
2016520197.tif 000015
2016520197.tif 000016
2016520197.tif 000017
2016520197.tif 000018